(57)【要約】【課題】排桿の切断時の切断負荷を軽減して、切断時に生じる振動、騒音を抑制して、ブレードと受刃の変形及び早期摩耗の発生を防止することができる切断処理室を備えた脱穀装置を提供する。【解決手段】切断処理室（５０）の上部に複数のブレード（５１）を有する回転体（５４）を横架し、切断処理室（５０）の下部に受刃（５２）を設け、ブレード（５１）を回転体（５４）の横方向に所定の間隔を隔てて並設してブレード群（５８）を形成し、ブレード群（５８）を回転体（５４）の外周部に周方向に所定の間隔を隔てて周設し、ブレード群（５８）内で横方向において隣接するブレード（５１）を互いに回転体（５４）の周方向にずらして設けることにより解決される。【選択図】図９
2016154471.tif 000002
【特許請求の範囲】
【請求項１】
上部に穀桿の脱穀を行なう扱室（１０）を備え、該扱室（１０）の下側に穀粒の選別を行なう選別室（２０）を備え、該選別室（２０）の後側に排桿の切断を行なう切断処理室（５０）を備えた脱穀装置において、
前記切断処理室（５０）の上部に複数のブレード（５１）を有する回転体（５４）を横架し、切断処理室（５０）の下部に受刃（５２）を設け、
前記ブレード（５１）を回転体（５４）の横方向に所定の間隔を隔てて並設してブレード群（５８）を形成し、
前記ブレード群（５８）を回転体（５４）の外周部に周方向に所定の間隔を隔てて周設し、
前記ブレード群（５８）内で横方向において隣接するブレード（５１）を互いに回転体（５４）の周方向にずらして設けたことを特徴とする脱穀装置。
【請求項２】
前記ブレード群（５８）内に並設されたブレード（５１）を、左側から右側に向うに従って周方向で回転方向の前側に位置するように配置した請求項１記載の脱穀装置。
【請求項３】
前記ブレード群（５８）内の右側端部に設けられたブレード（５１）を、このブレード群（５８）に周方向に隣接するブレード群（５８）内の左側端部に設けられたブレード（５１）よりも回転方向の前側に設けた請求項１又は２記載の脱穀装置。
【請求項４】
前記ブレード群（５８）内の左側部に並設されたブレード（５１）を、前記ブレード群（５８）内の右側部に並設されたブレード（５１）よりも多く設けた請求項１〜３記載のいずれか１項に記載の脱穀装置。
【請求項５】
側面視において、前記ブレード群（５８）内の左側部に並設されたブレード（５１）と受刃（５２）のラップ部分を、前記ブレード群（５８）内の右側部に並設されたブレード（５１）と受刃（５２）のラップ部分よりも大きく形成した請求項１〜４記載のいずれか１項に記載の脱穀装置。
【発明の詳細な説明】
【技術分野】
【０００１】
本発明は、脱穀装置の後部にスプレッダ式の切断処理室を備えた脱穀装置に係るものである。
【背景技術】
【０００２】
従来のコンバインの脱穀装置の後部には、排桿の切断と非切断の切換えを行なうために、上部にブレードを装着した回転体を横架して、ブレードに対向する下部に起立・倒伏する受刃を備えた切断処理室が設けられている。
【先行技術文献】
【特許文献】
【０００３】
【特許文献１】特開２００１―１７８２５０号公報
【発明の概要】
【発明が解決しようとする課題】
【０００４】
しかし、従来の回転体に装着されたブレードは、回転体の軸芯視において周方向に等ピッチの間隔を隔てて横方向に並設されているために、ブレードが受刃の間を通過して排桿の切断時において、大きな負荷が加わり、切断時に大きな振動、騒音が生じ、ブレードの変形及び摩耗が早期に発生する虞があった。また、ブレードと受刃によって切断された排桿が、ブレードに絡み付いて切断された排桿が切断処理室内に滞留する虞があった。
そこで、本発明の主たる課題は、かかる問題点を解消することにある。
【課題を解決するための手段】
【０００５】
上記課題を解決した本発明は次記のとおりである。
請求項１に係る発明は、上部に穀桿の脱穀を行なう扱室（１０）を備え、該扱室（１０）の下側に穀粒の選別を行なう選別室（２０）を備え、該選別室（２０）の後側に排桿の切断を行なう切断処理室（５０）を備えた脱穀装置において、
前記切断処理室（５０）の上部に複数のブレード（５１）を有する回転体（５４）を横架し、切断処理室（５０）の下部に受刃（５２）を設け、前記ブレード（５１）を回転体（５４）の横方向に所定の間隔を隔てて並設してブレード群（５８）を形成し、前記ブレード群（５８）を回転体（５４）の外周部に周方向に所定の間隔を隔てて周設し、前記ブレード群（５８）内で横方向において隣接するブレード（５１）を互いに回転体（５４）の周方向にずらして設けたことを特徴とする脱穀装置である。
【０００６】
請求項２に係る発明は、前記ブレード群（５８）内に並設されたブレード（５１）を、左側から右側に向うに従って周方向で回転方向の前側に位置するように配置した請求項１記載の脱穀装置である。
【０００７】
請求項３に係る発明は、前記ブレード群（５８）内の右側端部に設けられたブレード（５１）を、このブレード群（５８）に周方向に隣接するブレード群（５８）内の左側端部に設けられたブレード（５１）よりも回転方向の前側に設けた請求項１又は２記載の脱穀装置である。
【０００８】
請求項４に係る発明は、前記ブレード群（５８）内の左側部に並設されたブレード（５１）を、前記ブレード群（５８）内の右側部に並設されたブレード（５１）よりも多く設けた請求項１〜３記載のいずれか１項に記載の脱穀装置である。
【０００９】
請求項５に係る発明は、側面視において、前記ブレード群（５８）内の左側部に並設されたブレード（５１）と受刃（５２）のラップ部分を、前記ブレード群（５８）内の右側部に並設されたブレード（５１）と受刃（５２）のラップ部分よりも大きく形成した請求項１〜４記載のいずれか１項に記載の脱穀装置である。
【発明の効果】
【００１０】
請求項１記載の発明によれば、切断処理室（５０）の上部に複数のブレード（５１）を有する回転体（５４）を横架し、切断処理室（５０）の下部に受刃（５２）を設け、ブレード（５１）を回転体（５４）の横方向に所定の間隔を隔てて並設してブレード群（５８）を形成し、ブレード群（５８）を回転体（５４）の外周部に周方向に所定の間隔を隔てて周設し、ブレード群（５８）内で横方向において隣接するブレード（５１）を互いに回転体（５４）の周方向にずらして設けているので、排桿の切断時に発生する負荷を軽減して、排桿の切断時に発生する振動、騒音を抑制し、ブレード（５１）と受刃（５２）の変形、早期摩耗を防止することができる。
【００１１】
請求項２記載の発明によれば、請求項１記載の発明による効果に加えて、ブレード群（５８）内に並設されたブレード（５１）を、左側から右側に向うに従って周方向で回転方向の前側に位置するように配置しているので、切断処理室（５０）内に排出された排桿を右側に効率良く移送でき切断効率を高めることができる。
【００１２】
請求項３記載の発明によれば、請求項１又は２記載の発明による効果に加えて、ブレード群（５８）内の右側端部に設けられたブレード（５１）を、このブレード群（５８）に周方向に隣接するブレード群（５８）内の左側端部に設けられたブレード（５１）よりも回転方向の前側に設けているので、さらに排桿の切断時に発生する負荷を軽減して、排桿の切断時に発生する振動、騒音を抑制し、ブレード（５１）と受刃（５２）の変形、早期摩耗を防止することができる。
【００１３】
請求項４記載の発明によれば、請求項１〜３記載のいずれか１項に記載の発明による効果に加えて、ブレード群（５８）内の左側部に並設されたブレード（５１）を、ブレード群（５８）内の右側部に並設されたブレード（５１）よりも多く設けているので、切断処理室（５０）の左側部に排出された多くの排桿を確実に切断し、且つ、切断された排桿の長さを短くすることができる。
【００１４】
請求項５記載の発明によれば、請求項１〜４記載のいずれか１項に記載の発明による効果に加えて、側面視において、ブレード群（５８）内の左側部に並設されたブレード（５１）と受刃（５２）のラップ部分を、ブレード群（５８）内の右側部に並設されたブレード（５１）と受刃（５２）のラップ部分よりも大きく形成しているので、さらに切断処理室（５０）の左側部に排出された多くの排桿を確実に切断し、且つ、切断された排桿の長さを短くすることができる。
【図面の簡単な説明】
【００１５】
【図１】コンバインの正面図である。
【図２】コンバインの左側面図である。
【図３】コンバインの背面図である。
【図４】脱穀装置を前後方向に縦断面した左側図である。
【図５】扱胴の左側面図である。
【図６】切断処理室の正面図である。
【図７】切断処理室の左側図である。
【図８】第１実施形態の回転体の背面図である。
【図９】図８の回転体の展開図である。
【図１０】第２実施形態の回転体の背面図である。
【図１１】図１０の回転体の展開図である。
【図１２】第３実施形態の回転体の背面図である。
【図１３】図１２の回転体の展開図である。
【図１４】脱穀装置の他の選別室を前後方向に縦断面した左側図である。
【発明を実施するための形態】
【００１６】
以下、本発明の汎用コンバインについて添付図面を参照しつつ説明する。
図１〜３に示すように、汎用コンバインは、機体フレーム１の下側に土壌面を走行するための左右一対のクローラからなる走行装置２が設けられ、機体フレーム１の上側に脱穀・選別を行なう脱穀装置３が設けられ、脱穀装置３の前側に圃場の穀稈を収穫する刈取前処理装置４が設けられている。脱穀装置３で脱穀・選別された穀粒は脱穀装置３の右側に設けられたグレンタンク５に貯留され、貯留された穀粒はグレンタンク５の後側に設けられた排出筒７によって外部へ排出される。また、グレンタンク５の前側には操縦者が搭乗する操縦部６が設けられている。
【００１７】
＜刈取前処理装置＞
刈取前処理装置４は、倒伏した穀稈、大豆やそば等の丈の低い穀稈、油菜や菜の花等の丈の高い穀稈を掻き込む掻込み装置４Ａと、掻込み装置４Ａによって掻き込まれた穀稈の株元を切断する刈刃装置４Ｂと、掻込み装置４Ａによって掻き込まれた穀稈を寄せ集めるオーガ装置４Ｃと、脱穀装置３にオーガ装置４Ｃよって寄せ集められた穀稈を揚上搬送するフィーダハウス４Ｄを備えている。また、オーガ装置４Ｃの上側で絡み合った穀稈を切断するために略上下方向に延在する刈刃装置（図示省略）をオーガ装置４Ｃの側壁に設けることもできる。
【００１８】
掻込み装置４Ａは、オーガ装置４Ｃの全幅とほぼ同一幅に形成され、オーガ装置４Ｃの上側に設けられ、刈刃装置４Ｂは、前部から後部に緩やかに後上がり傾斜して形成され、オーガ装置４Ｃの前下部に設けられている。
【００１９】
オーガ装置４Ｃは、汎用コンバインの機体の全幅とほぼ同一幅に形成され、フィーダハウス４Ｄの前側に設けられ、オーガ装置４Ｃの左右前部には、穀稈を分草する分草体４Ｅが設けられている。また、フィーダハウス４Ｄは、オーガ装置４Ｃと脱穀装置３の間に設けられている。
【００２０】
＜脱穀装置＞
図４に示すように、脱穀装置３は、上部にフィーダハウス４Ｄによって揚上搬送された穀稈の脱穀を行う扱室１０と、扱室１０の下側に脱穀された穀粒の選別を行なう選別室２０を備えている。また、選別室２０の後側には、扱室１０から排出される排稈や選別室２０から排出されるワラ屑類等を切断する切断処理室５０が設けられ、切断処理室５０の後側には、切断処理室５０で切断された排稈等を外部に排出する排出室６０が設けられている。
【００２１】
（扱室）
扱室１０の前後壁１０Ａ、１０Ｃには、扱胴１１が装着された扱胴軸１２が回転自在に架設され、扱室１０の中壁１０Ｂには、扱胴１１の下側に張設される扱網１１Ａが支持されている。扱室１０で脱穀処理された排稈は、扱胴１１によって後側に移送された後、扱室１０の排出口１０Ｄから切断処理室５０に排出される。なお、背面視において、扱胴１１は反時計方向に回転している。  
【００２２】
図５に示すように、扱胴１１は、前部の円錐台状の取込み螺旋部１６と、後部の筒部１７から形成されている。取込み螺旋部１６の前端部は、扱胴軸１２の前端部に固定された前部支持部材１３に固定され、後端部は、筒部１７の前端部に溶接等によって固定されている。また、筒部１７の略中間部は、扱胴軸１２の略中間部に固定された中間部支持部材１４に固定され、後端部は、扱胴軸１２の後端部に固定された後部支持部材１５に固定されている。
【００２３】
取込み螺旋部１６の外周面には、後側に向かって傾斜した搬送螺旋１６Ａが設けられ、搬送螺旋１６Ａの前面下部には、周方向に所定の間隔を隔てて略三角形のリブ１６Ｂが設けられている。これにより、フィーダハウス４Ｄによって揚上搬送された穀稈を効率良く筒部１７に移送することができ、また、搬送螺旋１６Ａの変形等を防止することができる。
【００２４】
筒部１７の外周面には、前後方向に複数の第１扱歯１８Ａが固定された鋼材等からなる板状の第１プレート１８と、前後方向に複数の第２扱歯１９Ａが固定された鋼材等からなる板状の第２プレート１９が周方向に６０度の間隔を隔てて交互に周設されている。
【００２５】
第２扱歯１９Ａの間隔は、第１扱歯１８Ａの間隔の２倍に形成され、第１扱歯１８Ａと第２扱歯１９Ａの位相を１／２位相（１／２間隔）相違させて、側面視において、第１扱歯１８Ａと第２扱歯１９Ａが相互に重ならないようにしている。これにより、第１扱歯１８Ａと第２扱歯１９Ａに穀稈が絡み付くのを防止し、脱穀性能を高め、後側への穀稈の移送を効率的良く行うことができる。
【００２６】
図４に示すように、扱室１０の上部には、内面に複数の送塵ガイド４２が並設された扱胴カバー４０が設けられている。回転レバー４６を揺動させることによって送塵ガイド４２の傾斜角度は変更することができる。
送塵ガイド４２は、送塵ガイド４２の幅方向の略中心に設けられた支軸４３に回転自在に支持されており、送塵ガイド４２の左側上部は、前後に延在している連結レバー４４によって相互に連結されている。連結レバー４４の前部は、回転軸４５の下部に溶接等によって固定され、回転軸４５は、扱胴カバー４０の外面に設けられた支持部材４７に回転自在に支持され、回転軸４５の上部には、連結レバー４４に対して略直交方向に延在する回転レバー４６が固定されている。
【００２７】
（選別室）
扱室１０の下側には、扱室１０から漏下してくる脱穀処理物を穀粒とそれ以外の藁屑等とに選別する選別室２０が設けられている。選別室２０の上部には揺動選別装置２１が設けられ、選別室２０の下部には揺動選別装置２１に空気を送風する唐箕２５と、揺動選別装置２１から漏下する穀粒を回収する１番受樋２８と、揺動選別装置２１から漏下する枝梗等が付着した穀粒を回収する２番受樋２９が設けられている。なお、１番受樋２８で回収された穀粒はグレンタンク５に移送され、２番受樋２９で回収された穀粒等は扱胴１１の前部に移送され、再び扱胴１１によって脱穀される。
【００２８】
揺動選別装置２１は、唐箕２５の上側に位置する移送棚２２と、移送棚２２の後側のシーブ２３と、シーブ２３の後側のストローラック２４が設けられている。また、揺動選別装置２１の下部には、選別網３０が張設されている。
【００２９】
移送棚２２は、扱室１０から漏下する穀粒をシーブ２３に移送する棚であり、移送棚２２の後部を後下がり形成したり、移送棚２２の上面に突起や凹凸を形成することができる。なお、移送棚２２の後部には、穀粒をシーブ２３に確実に移送するためにシーブ２３の上側に向けて延出する篩線２２Ａが設けられている。
【００３０】
シーブ２３は、移送棚２２から移送された穀粒等と扱室１０から漏下してくる藁屑等を選別する篩であり、後側が高くなるように傾斜した薄い板状体からなるシーブ部材を揺動選別装置２１の揺動方向に所定の間隔を隔てて並設して形成されている。
【００３１】
ストローラック２４は、シーブ２３から漏下しなかった大きな藁屑から枝梗等が付着した穀粒等を篩い選別する篩である。
【００３２】
唐箕２５から送風された空気は、上側風割２７Ａの上側に形成された第１風路２６Ａと、上側風割２７Ａと下側風割２７Ｂの間に形成された第２風路２６Ｂと、下側風割２７Ｂの下側に形成された第３風路２６Ｃを通って揺動選別装置２１に向かって送風される。なお、第１風路２６Ａを通った空気は移送棚２２の後部に向けて送風され、第２風路２６Ｂを通った空気はシーブ２３の前後方向の中間部に向けて送風され、第３風路２６Ｂを通った空気はシーブ２３の後部に向けて送風される。
【００３３】
次に、他の選別室２０について説明する。図１４に示すように、他の選別室２０の揺動選別装置２１を構成するシーブ２３は、側面視においてへの字形状に形成されている。シーブ２３の前部は、移送棚２２の後部よりも下側に配置され、シーブ２３のへの字の頂点部２３Ａは、移送棚２２と同一高さに配置され、側面視においてシーブ２３の下部は、選別網３０とに沿って略平行に配置されている。これにより、第１風路２６Ａを通過した空気の内、移送棚２２の後部とシーブ２３の前部の間を通過した空気は、シーブ２３の上部に沿って後側に送風される。また、第１風路２６Ａを通過した空気の内、シーブ２３の下側に入り込んだ空気は、シーブ２３の下部と選別網３０の上部の間を後側に送風されて穀粒の回収効率を高めることができる。
【００３４】
また、側面視においてストローラック２４の上下方向の中心部は、シーブ２３のへの字の頂点部２３Ａと同一高さに配置されている。これにより、ストローラック２４によって枝梗等が付着した穀粒等の回収効率を高めることができる。
【００３５】
（切断処理室）
図６，７に示すように、切断処理室５０の上下方向の前後・上下方向の略中心部には、扱室１０等から排出されてくる排稈等を切断する複数の鉈状のブレード５１が装着された回転体５４が横架され、回転体５４の下側には、ブレード５１に向かって突出する複数の受刃５２が設けられている。これにより、排出されてくる排稈等は、ブレード５１が受刃５２の間を通過するときに切断される。なお、回転体５４は、左側面視において反時計方向に回転し、エンジンの駆動力である回転は、回転体５４の左端部に設けけられたプーリ５４Ａを介して回転体５４に伝動され、回転体５４を２，８００ｒｐｍで回転するように設定している。また、回転体５４の左右側部には、それぞれ回転体５４の回転状態を調整するバランスウエイト（図示省略）が設けられている。
【００３６】
受刃５２の前側には、前側排稈ガイド５３Ａが設けられ、受刃５２の後側には、後側排稈ガイド５３Ｂが設けられている。なお、排稈ガイド５３Ａ，５３Ｂの上面は、複数の受刃５２が装着された支軸５６よりも上側に位置するように設けられている。これにより、受刃５２の前側での排稈の滞留を防止し、受刃５２が装着される支軸５６への排稈の絡み付きを防止して、ブレード５１と受刃５２によって排稈を効率良く切断することができる。
【００３７】
次に、第１実施形態の回転体５４について説明する。図８，９に示すように、第１実施形態の回転体５４には、２２枚のブレード５１が装着されている。ブレード５１は、回転体５４の外周面に溶接等によって固定された支持部材５５に、ボルト等の締結部材により着脱自在に固定されている。なお、２２枚のブレード５１は、回転体５４の左右方向に均一に装着されており、回転体５４の左側部に１０枚、中心部に２枚、右側部に１０枚のブレード５１が装着されている。これにより、回転体５４の回転状態を好適に維持することができ、回転体５４によって切断処理室５０の左側部に扱室１０から排出されてくる多くの排稈を切断しながら切断処理室５０の左側部に好適に移送することができる。
【００３８】
ブレード５１が装着される支持部材５５は、回転体５４の周方向に９０度の間隔を隔てて周設されている。なお、支持部材５５を回転体５４の周方向に１２０度の間隔を隔てて周設することもできる。
【００３９】
便宜的に、図９に示すように、回転方向側に位置する上側から１段目に並設された５個の支持部材５５を第１ブレード群５８Ａと呼び、上側から２段目に並設された６個の支持部材５５を第２ブレード群５８Ｂと呼び、上側から３段目に並設された５個の支持部材５５を第３ブレード群５８Ｃと呼び、上側から４段目に並設された６個の支持部材５５を第４ブレード群５８Ｄと呼び、第１〜４ブレード群を総称してブレード群５８と呼ぶものとする。
【００４０】
第１ブレード群５８Ａ内に並設された５個の支持部材５５は、左右方向に隣接する支持部材５５，５５とは周方向に一定の角度を隔てて設けられている。同様に、第２ブレード群５８Ｂ内に並設された６個の支持部材５５、第３ブレード群５８Ｃ内に並設された５個の支持部材５５、第４ブレード群５８Ｄ内に並設された６個の支持部材５５も左右方向に隣接する支持部材５５，５５とは周方向に一定の角度を隔てて設けられている。
【００４１】
例えば、第１ブレード群５８Ａの右側から３番目の支持部材５５に固定されたブレード５１は、このブレード５１に隣接する右側から２番目の支持部材５５に固定されたブレード５１よりも遅く受刃５２を通過して排稈を切断し、このブレード５１に隣接する右側から４番目の支持部材５５に固定されたブレード５１よりも早く受刃５２を通過して排稈を切断する。これにより、排稈の切断時に生じる衝撃を分散させることができ、切断時に生じる特にブレード５１と受刃５２に生じる振動を軽減し、ブレード５１と受刃５２の変形を防止し、摩耗の進展を遅らせることができる。
【００４２】
また、例えば、第１ブレード群５８Ａ内で最も遅く排稈を切断する右側から５番目の支持部材５５に固定されたブレード５１の回転方向側の刃先を、第２ブレード群５８Ｂ内で最も早く排稈を切断する右側から１番目の支持部材５５に固定されたブレード５１の回転方向側の刃先よりも回転方向の前側に位置させて設けられている。これにより、第１ブレード群５８Ａ内の支持部材５５に固定されたブレード５１と第２ブレード群５８Ｂ内の支持部材５５に固定されたブレード５１が同時に排稈を切断することが防止でき、さらに排稈の切断時に生じる衝撃を分散させることができる。
【００４３】
さらに、第１ブレード群５８Ａ内に並設された５個の支持部材５５は、左右方向に対して左側から右側に並設されるに従って回転方向側に約７度位置させて設けられている。同様に、第２ブレード群５８Ｂ内に並設された６個の支持部材５５、第３ブレード群５８Ｃ内に並設された５個の支持部材５５、第４ブレード群５８Ｄ内に並設された６個の支持部材５５も左右方向に対して左側から右側に並設されるに従って回転方向側に約７度位置させて設けられている。また、第１ブレード群５８Ａ内に並設された５個の支持部材５５は、周方向に隣接する第２ブレード群５８Ｂ内に並設された６個の支持部材５５と第４ブレード群５８Ｄ内に並設された６個の支持部材５５と左右方向に１／２間隔ずらして設けられている。同様に、第２ブレード群５８Ｂ内に並設された６個の支持部材５５、第３ブレード群５８Ｃ内に並設された５個の支持部材５５、第４ブレード群５８Ｄ内に並設された６個の支持部材５５もそれぞれ周方向に隣接するブレード群５８に並設された支持部材５５と左右方向に１／２間隔ずらして設けられている。これにより、ブレード５１と支持部材５５への切断された排稈の絡み付きを防止して、切断処理室５０の左側部に排出されてくる多くの排稈を切断処理室５０の右側部に移送することができ、排稈の切断処理を効率良く行うことができる。また、これにより、切断処理室５０から切断した排稈を引継いで外部に排出する排出室６０の排出口から左右方向にほぼ均等な排稈が外部に排出され土壌面に排稈溜まりが形成されるのを防止することができる。
【００４４】
次に、第２実施形態の回転体５４について説明する。図１０，１１に示すように、第２実施形態の回転体５４には、２６枚のブレード５１が装着されている。
上述したように、切断処理室５０の左側部には、切断処理室５０の右側部よりも多くの排稈が扱室１０から排出されてくる。このため、切断処理室５０の左側部の切断性能を向上するために、第２実施形態の回転体５４は、第１実施形態の回転体５４の左側部に４枚のブレード５１を追加して装着している。具体的には、第１ブレード群５８Ａの右側から３番目と４番目の間と、第２ブレード群５８Ｂの右側から５番目と６番目の間と、第３ブレード群５８Ｃの４番目と５番目の間と、第４ブレード群５８Ｄの４番目と５番目の間に、それぞれ１枚のブレード５１を固定する支持部材５４を追加して設けている。これにより、切断処理室５０の左側部の切断性能を向上させ、ブレード５１と支持部材５５への切断された排稈の絡み付きを防止して、切断処理室５０の左側部に排出されてくる多くの排稈を切断処理室５０の右側部に移送することができる。なお、４枚のブレード５１を追加位置は、各ブレード群５８に１枚ずつ追加し、最も左側部、すなわち第１ブレード群５８Ａも右側から５番目の支持部材５５の左側、第３ブレード群５８Ｃも右側から５番目の支持部材５５の左側には配置しないのが好ましい。
【００４５】
次に、第３実施形態の回転体５４について説明する。図１２，１３に示すように、第３実施形態の回転体５４には、３４枚のブレード５１が装着されている。
上述したように、切断処理室５０の左側部及び中心部には、切断処理室５０の右側部よりも多くの排稈が扱室１０から排出され、また、排稈が湿っている場合がある。このため、切断処理室５０の左側部の切断性能を向上し、切断された排稈の長さを短くするために、第３実施形態の回転体５４は、第１実施形態の回転体５４の左側部に１０枚のブレード５１と中心部に２枚のブレード５１を追加して装着している。具体的には、第１ブレード群５８Ａの右側から３番目と４番目の間と、４番目と５番目の間と、５番目の左側にそれぞれ１枚のブレード５１を固定する支持部材５４を追加して設け、第２ブレード群５８Ｂの中心部と、４番目と５番目の間と、５番目と６番目の間にそれぞれ１枚のブレード５１を固定する支持部材５４を追加して設け、第３ブレード群５８Ｃの右側から３番目と４番目の間と、４番目と５番目の間と、５番目の左側にそれぞれ１枚のブレード５１を固定する支持部材５４を追加して設け、第４ブレード群５８Ｄの中心部と、４番目と５番目の間と、５番目と６番目の間にそれぞれ１枚のブレード５１を固定する支持部材５４を追加して設けている。すなわち、第１〜４ブレード群５８Ａ〜５８Ｄに並設されるブレード５１を固定する支持部材５４を左側部から中心部にかけて１／２間隔で配置し、左側部から中心部にかけて周方向に隣接するブレード群５８に並設された支持部材５５を左右方向に同一位置に設けている。これにより、切断処理室５０の左側部の切断性能を向上させ、ブレード５１によって切断された排稈の長さを短くしてブレード５１と支持部材５５への切断された排稈の絡み付きを防止して、切断処理室５０の左側部に排出されてくる多くの排稈を切断処理室５０の右側部に移送することができる。
【００４６】
図６、７に示すように、受刃５２は、ブレード５１の先端部が通過する鉈状のＵの字状の刃部５２Ａと、刃部５２Ａの底部から延在する円柱状の固定部５２Ｂとから形成されている。なお、受刃５２は、左右方向に所定の間隔を隔てて、回転体５４に装着されたブレード５１と対向する位置に設けられている。
【００４７】
受刃５２は、切断処理室５０の回転体５４の下側に横架された支軸５６に形成された貫通穴５６Ａに、受刃５２の固定部５２Ｂを挿入し、延出部のボルト等の締結手段によって着脱自在に固定されている。
【００４８】
回転体５４の左側部及び中心部に対向する位置に形成された貫通穴５６Ａは、水平方向に対して略４５度傾斜して形成され、回転体５４の右側部に対向する位置に形成された貫通穴５６Ａは、水平方向に対して略３０度傾斜して形成されている。回転体５４の左側部及び中心部に対向する位置に形成された支軸５６の貫通穴５６Ａに固定された受刃５２は、ブレード５１に向かって突出し、側面視においてブレード５１と受刃５２のオーバーラップ部が大きく形成されている。一方、回転体５４の右側部に対向する位置に形成された支軸５６の貫通穴５６Ａに固定された受刃５２は、ブレード５１に向かって緩やかに突出し、側面視においてブレード５１と受刃５２のオーバーラップ部が小さく形成されている。これにより、扱室１０等から多くの排稈が排出されてくる切断処理室５０の左側部においては、ブレード５１の先端部が受刃５２の刃部５２Ａの上部から深い位置を通過して一度に多くの排稈を切断することができ切断能力を高めることができる。一方、切断処理室５０の右側部においては、ブレード５１の先端部が受刃５２の刃部５２Ａの上部から浅い位置を通過してブレード５１と受刃５２への切断された排稈の絡み付きを防止することができる。
【産業上の利用可能性】
【００４９】
本発明は、汎用コンバインの脱穀装置の切断処理室に利用できるものである。
【符号の説明】
【００５０】
１０        扱室
２０        選別室
５０        切断処理室
５１        ブレード
５２        受刃
５４        回転体
５８        ブレード群
【図１】
2016154471.tif 000003
【図２】
2016154471.tif 000004
【図３】
2016154471.tif 000005
【図４】
2016154471.tif 000006
【図５】
2016154471.tif 000007
【図６】
2016154471.tif 000008
【図７】
2016154471.tif 000009
【図８】
2016154471.tif 000010
【図９】
2016154471.tif 000011
【図１０】
2016154471.tif 000012
【図１１】
2016154471.tif 000013
【図１２】
2016154471.tif 000014
【図１３】
2016154471.tif 000015
【図１４】
2016154471.tif 000016